(57)【特許請求の範囲】
【請求項１】
山部と谷部とが交互に設けられた波形の瓦であって、一側縁に山部が設けられ、他側縁に谷部が設けられ、一側縁の山部及び他側縁の谷部並びに前縁及び後縁に重ね代部が設けられ、一側縁の山部の重ね代部の後縁に角形切欠部が設けられると共に他側縁の谷部の重ね代部の前縁角部に斜辺状切欠部が設けられた瓦において、一側縁の山部の重ね代部の後端角部に切欠部が設けられることにより斜辺が設けられていることを特徴とする瓦。
【請求項２】
敷設時に上段の瓦の谷部の重ね代部の前縁角部の切欠部残余の部分と下段の瓦の一側縁の山部の後縁角部の切欠部残余の部分とが重なり合うようになされたことを特徴とする請求項１記載の瓦。
【請求項３】
敷設時に上段の瓦の谷部の重ね代部の前縁角部の切欠部縁部と下段の瓦の山部の重ね代部の後縁角部の切欠部縁部とが同一垂直面上にほぼ一致されていることを特徴とする請求項１記載の瓦。
【発明の詳細な説明】
【０００１】
【発明の属する技術分野】
本発明は、山部と谷部とが交互に設けられた波形の瓦に関するものである。
【０００２】
【従来の技術】
従来、例えば、特開昭６３−２３３１５１号公報等に記載されているように、山部と谷部とが交互に設けられた波形の瓦であって、一側縁に山部が設けられ、他側縁に谷部が設けられ、一側縁の山部及び他側縁の谷部並びに前縁及び後縁に重ね代部が設けられた瓦が知られている。
【０００３】
このような従来の瓦の屋根への敷設時には、図７に示すように、下段の相隣る２枚の瓦（イ）（ロ）においては、一方の瓦（イ）の側縁の谷部（ハ）の重ね代部（ニ）の上に他方の瓦（ロ）の側縁の山部（ホ）の重ね代部（ヘ）が重なり合っている。下段の瓦（イ）の後縁の上に上段の瓦（ト）の前縁を重ねる場合には、上段の瓦（ト）を下段の瓦（イ）の傾斜角度と殆ど同じ傾斜角度に保持し、上段の瓦（ト）の側縁の谷部（チ）の重ね代部（リ）の前縁の斜辺部（ヌ）付近を下段の瓦（ロ）の山部（ホ）の重ね代部（ヘ）の上縁に設けられた角形切欠部（ル）に挿入し、上段の瓦（ト）の前縁の重ね代部（ヲ）を下段の瓦（ロ）の後縁の重ね代部（ワ）の上に重ねていた。
【０００４】
【発明が解決しようとする課題】
しかしながら、このように、下段の瓦（イ）の後縁の上に上段の瓦（ト）の前縁を重ねる場合に、上段の瓦（ト）を下段の瓦（イ）の傾斜角度と殆ど同じ傾斜角度に保持し、上段の瓦（ト）の側縁の谷部（チ）の重ね代部（リ）の前縁の斜辺部（ヌ）付近を下段の瓦（ロ）の山部（ホ）の重ね代部（ヘ）の上縁に設けられた角形切欠部（ル）に挿入するのは、上段の瓦（ト）を下段の瓦（イ）の傾斜角度と殆ど同じ傾斜角度に保持するのが煩瑣であり、作業能率が上がらない上に、作業時に下段の瓦（ロ）の山部（ホ）の重ね代部（ヘ）の後端角部が欠ける恐れがあった。
【０００５】
本発明は、従来の瓦におけるこのような問題点に着目してなされたものであり、その目的とするところは、上記の問題を解決し、敷設時の作業能率が向上し、瓦の山部の重ね代部の後縁が欠ける恐れのない瓦を提供するにある。
【０００６】
【課題を解決するための手段】
上記の目的を達成するために、請求項１記載の本発明瓦は、
山部と谷部とが交互に設けられた波形の瓦であって、一側縁に山部が設けられ、他側縁に谷部が設けられ、一側縁の山部及び他側縁の谷部並びに前縁及び後縁に重ね代部が設けられ、一側縁の山部の重ね代部の後縁に角形切欠部が設けられると共に他側縁の谷部の重ね代部の前縁角部に斜辺状切欠部が設けられた瓦において、一側縁の山部の重ね代部の後端角部に切欠部が設けられることにより斜辺が設けられていることを特徴とするものである。
【０００７】
又、請求項２記載の本発明瓦は、
請求項１記載の瓦において、敷設時に上段の瓦の谷部の重ね代部の前縁角部の切欠部残余の部分と下段の瓦の一側縁の山部の後縁角部の切欠部残余の部分とが重なり合うようになされたことを特徴とするものである。
【０００８】
又、請求項３記載の本発明瓦は、
請求項１記載の瓦において、敷設時に上段の瓦の谷部の重ね代部の前縁角部の切欠部縁部と下段の瓦の山部の重ね代部の後縁角部の切欠部縁部とが同一垂直面上にほぼ一致されていることを特徴とするものである。
【０００９】
本発明瓦の材質としては、従来から瓦の材質として使用されているものがそのまま使用できるものであって、特に限定されるものではないが、例えば、粘土等の焼結材料、セメント、石膏等の水硬性無機材料、圧縮スレート、ステンレス鋼、アルミニウム、銅等の金属、ＦＲＰ、ポリカーボネート、アクリル樹脂等の合成樹脂、或いは、このような材質を適宜組み合わせた複合材が使用できる。
【００１０】
【作用】
請求項１記載の本発明瓦においては、一側縁の山部の重ね代部の後端角部に切欠部が設けられることにより斜辺が設けられているので、敷設時に下段の瓦の山部の重ね代部の下方に上段の瓦の谷部の重ね代部を挿入する際に下段の瓦の山部の重ね代部の切欠部の角部に設けられた斜辺をガイドとして挿入すればよく、挿入が容易であり、上段の瓦の後縁を立ち上げた状態に近い状態で挿入することができ、下段の瓦の山部の重ね代部の後端が欠ける恐れもない。
【００１１】
又、請求項２記載の本発明瓦においては、敷設時に上段の瓦の谷部の重ね代部の前縁角部の切欠部残余の部分と下段の瓦の一側縁の山部の後縁角部の切欠部残余の部分とが重なり合うようになされているので、切欠部が設けられてはいても、下段の２枚の瓦と上段の２枚の瓦の重なり箇所においては、下段の瓦の谷部の重ね代部の上に相隣る瓦の山部の重ね代部の切欠部残余の部分が重なり、更に、その上に上段の瓦の谷部の重ね代部の切欠部残余の部分が重なり、更に、その上に相隣る瓦の山部の重ね代部が重なる。
【００１２】
又、請求項３記載の本発明瓦においては、敷設時に上段の瓦の他側縁の谷部の前縁角部の切欠部縁部と下段の瓦の一側縁の山部の後縁角部の切欠部縁部とが同一垂直面上にほぼ一致されているので、切欠部が設けられてはいても、下段の２枚の瓦と上段の２枚の瓦の重なり箇所においては、下段の瓦の谷部の重ね代部の上に相隣る瓦の山部の重ね代部の切欠部残余の部分が重なり、更に、下段の瓦の谷部の重ね代部において相隣る瓦の山部の切欠部により重ならなかった部分には上段の瓦の谷部の重ね代部が重なり、その上に相隣る瓦の山部の重ね代部が重なる。
【００１３】
【発明の実施の形態】
次に、本発明の実施の形態を図面を参照しながら説明する。
図１は本発明瓦の一例を示す斜視図である。
図１において、１は本発明瓦であり、瓦１は半円筒状の山部１１と平板状の谷部１２とが交互に形成された波形に成形されている。瓦１の一側縁は山部１１で形成され、瓦１の一側縁の山部１１には重ね代部１１１が設けられている。瓦１の一側縁は他側縁は谷部１２で形成され、他側縁の谷部１２には重ね代部１２１が設けられ、重ね代部１２１には２条の突条１２２、１２３が突設されている。谷部１２の重ね代部１２１の前端角部には斜辺状の切欠部１２４が設けられている。
【００１４】
１３は瓦１の後縁部に設けられた重ね代部、１３１は重ね代部１３の山部１１に設けられた釘孔であり、釘孔１３１に図示しない止め金具を釘打ちにより取付けることかできるようになっている。１３２は重ね代部１３の谷部１２の後端に設けられた係止用凸部である。１４は瓦１の前縁部に設けられた重ね代部である。山部１１の重ね代部１１１の後縁には角形切欠部１１２が設けられ、山部１１の重ね代部１１１の後端角部には斜辺１１３が設けられている。
【００１５】
本発明瓦１を図示しない屋根に敷設した際には、４枚の本発明瓦１、１・・の重なり状態は図３、４に示すようになる。即ち、図３は、４枚の本発明瓦１ａ、１ｂ、１ｃ、１ｄの重なり状態を模式的に示した説明図、図４は４枚の本発明瓦１ａ、１ｂ、１ｃ、１ｄの重なり箇所の拡大説明図である。図３、４は便宜的に本発明瓦１の山部１１と谷部１２を省略している。
【００１６】
図３、４に示すように、敷設時には、下段の２枚の瓦１ａ、１ｂのうちの一方の瓦１ａの上縁の重ね代部１３の上に上段の一方の瓦１ｃの前縁の重ね代部１４が重なり、上段の一方の瓦１ｃの側縁の重ね代部１２１の前縁及び下段の一方の瓦１ａの側縁の重ね代部１２１の上に下段の他方の瓦１ｂの側縁の重ね代部１１１が重なり、下段の他方の瓦１ｂの後縁の重ね代部１３の上に上段の他方の瓦１ｄの前縁１４が重なると共に上段の一方の瓦１ｃの側縁の重ね代部１２１の上に上段の他方の瓦１ｄの側縁の重ね代部１１１が重なる。
【００１７】
４枚の本発明瓦１ａ、１ｂ、１ｃ、１ｄ同士の接合箇所においては、図４に示すように、下段の一方の瓦１ａを最下段にして、下段の一方の瓦１ａの側縁の重ね代部１２１の後縁の上に上段の瓦１ｃの側縁の重ね代部１２１の前縁が重なり、その上に下段の他方の瓦１ｂの側縁の重ね代部１１１の上縁が重なり、その上に上段の瓦１ｄの側縁の重ね代部１１１の前縁が重なる。
【００１８】
このように４枚の本発明瓦１ａ、１ｂ、１ｃ、１ｄ同士の接合箇所においては、上段の瓦１ｃの側縁の重ね代部１２１の前縁に斜辺状切欠部１２４が設けられ、下段の瓦１ｂの側縁の重ね代部１１１の後縁に角形切欠部１１２及び斜辺１１３が設けられていても、その残余の部分同士が二重斜線の部分Ａで示すように重なり合うようになっている。
【００１９】
図１に示す本発明瓦１においては、山部１１の重ね代部１１１の後縁には角形切欠部１１２が設けられ、山部１１の重ね代部１１１の後端角部には斜辺１１３が設けられているので、本発明瓦１の敷設時においては、図２に示すように、下段の瓦１ａの谷部１２の重ね代部１２１の上に隣接する瓦１ｂの山部１１の重ね代部１１１が重なり、上段の瓦１ｃの谷部１２の重ね代部１２１の前縁の斜辺状の切欠部１２４付近を下段の瓦１ｂの山部１１の重ね代部１１１の後縁の角形切欠部１１２に挿入する際には、斜辺１１３がガイドの役目を果たし、上段の瓦１の後縁を持ち上げた状態で挿入することかでき、挿入が容易である。又、山部１１の重ね代部１１１の後端角部には斜辺１１３が設けられているので、山部１１の重ね代部１１１の後端角部が欠ける恐れもない。
【００２０】
又、図１に示す本発明瓦１においては、敷設時には図３、４に模式的に示すように、上段の瓦１ｃの側縁の重ね代部１２１の前縁角部に斜辺状切欠部１２４が設けられ、下段の瓦１ｂの側縁の重ね代部１１１の後縁に角形切欠部１１２及び斜辺１１３が設けられていても、これらの斜辺状切欠部１２４並びに角形切欠部１１２及び斜辺１１３の残余の部分同士が重なり合い、これらの重なり合った部分と下段の瓦１ａの側縁の重ね代部１２１の後縁及び上段の瓦１ｄの側縁の重ね代部１１１の前縁とが重なるので、４枚の瓦１ａ、１ｂ、１ｃ、１ｄの重ね代部の角部同士が四重に重なることになり、瓦の重ね代部同士の重なり箇所から雨水が漏れる恐れはない。
【００２１】
図５は本発明瓦の他の一例を示す斜視図である。図５に示す本発明瓦においては、図１に示す本発明瓦のように、谷部１２の重ね代部１２１の前縁に単純な形状の斜辺状切欠部１２４を設ける代わりに台形状の斜辺状切欠部１２５を設けたものである。
【００２２】
図５に示す本発明瓦の敷設時においては、図６に示すように、上段の瓦１ｃの重ね代部１２１の前縁の斜辺状切欠部１２５の縁部と下段の瓦１ｂの側縁の重ね代部１１１の後縁の角形切欠部１１２及び斜辺１１３の縁部とは重ならず、同一垂直面Ｂ上に一致されている。
【００２３】
従って、図５に示す本発明瓦の敷設時においては、４枚の本発明瓦の角部同士の重なり箇所において、下段の瓦１ａの重ね代部１２１の上に上段の瓦１ｃの重ね代部１２１の前縁の斜辺状切欠部１２５の縁部と下段の瓦１ｂの側縁の重ね代部１１１の後縁の角形切欠部１１２及び斜辺１１３の縁部とは重ならず、その上に上段の瓦１ｄの側縁の重ね代部１１１が重なり、４枚の瓦の重ね代部同士が３重に重なることになり重なり箇所から雨水が漏れる恐れはない。
【００２４】
本発明の実施の形態を図により説明したが、本発明の具体的な構成は、図示の実施の形態に限定されるものではなく、本発明の要旨を逸脱しない設計変更は本発明に含まれる。
【００２５】
例えば、図示の実施の形態のように、山部１１を湾曲された山形とし、谷部１２を平坦なものとする代わりに、山部１１を平坦とし、谷部１２を湾曲された谷部としてもよく、或いは、山部１１も谷部１２も湾曲された形状としてもよく、又、山部１１も谷部１２も平坦な形状のものとしてもよい。
【００２６】
【発明の効果】
請求項１記載の本発明瓦においては、敷設時に下段の瓦の山部の重ね代部の下方に上段の瓦の谷部の重ね代部を挿入する際に下段の瓦の山部の重ね代部の切欠部の角部に設けられた斜辺をガイドとして挿入すればよいので、挿入が容易であり、上段の瓦の後縁を立ち上げた状態に近い状態で挿入することができ、下段の瓦の山部の重ね代部の後端が欠ける恐れもない。
【００２７】
又、請求項２記載の本発明瓦においては、切欠部が設けられてはいても、下段の２枚の瓦と上段の２枚の瓦の重なり箇所においては、下段の瓦の谷部の上に相隣る瓦の山部の切欠部残余の部分が重なり、更に、その上に上段の瓦の谷部の切欠部残余の部分が重なり、更に、その上に相隣る瓦の山部が重なるので、合計４枚の瓦の重ね代部が４重に重なることになり、瓦の重ね代部同士の重なり箇所から雨水が漏れる恐れはない。
【００２８】
又、請求項３記載の本発明瓦においては、切欠部が設けられてはいても、下段の２枚の瓦と上段の２枚の瓦の重なり箇所においては、下段の瓦の谷部の上に相隣る瓦の山部の切欠部残余の部分が重なり、更に、下段の瓦の谷部の重ね代部において相隣る瓦の山部の切欠部により重ならなかった部分には上段の瓦の谷部の重ね代部が重なり、その上に相隣る瓦の山部の重ね代部が重なるので、合計４枚の瓦の重ね代部同士が３重に重なり、瓦の重ね代部同士の重なり箇所から雨水が漏れる恐れはない。
【図面の簡単な説明】
【図１】本発明瓦の一例を示す斜視図。
【図２】図１に示す本発明瓦の使用態様の要部をやや拡大して示す斜視図。
【図３】図１に示す本発明瓦の使用態様を模式的に示す説明図。
【図４】図３の要部拡大説明図。
【図５】本発明瓦の他の一例を示す斜視図。
【図６】図５に示す本発明瓦の使用態様の要部を模式的に示す説明図。
【図７】従来の瓦の使用態様を示す斜視図。
【符号の説明】
１    瓦
１１  山部
１２  谷部
１１１、１２１、１３、１４  重ね代部
１１２  角形切欠部
１１３  斜辺
１２４、１２５  斜辺状切欠部
【図１】
0003658109.tif 000002
【図２】
0003658109.tif 000003
【図３】
0003658109.tif 000004
【図４】
0003658109.tif 000005
【図５】
0003658109.tif 000006
【図６】
0003658109.tif 000007
【図７】
0003658109.tif 000008